(57)【要約】【課題】本発明は、低温特性に優れ、流動性向上剤の添加効果に優れた、軽油などの燃料油組成物を提供することを課題としている。【解決手段】本発明の燃料油組成物は、硫黄濃度が１０質量ｐｐｍ以下であって、−１０℃で析出するワックス量が２．７質量％以下であり、−１０℃で析出するワックス中において、炭素数２４〜３０のｎ−パラフィンの含有割合が２０〜３５質量％であり、かつ、−１０℃で析出するワックス中における、炭素数２４〜３０の各炭素数のｎ−パラフィン含有割合（質量％）から求めた線形回帰直線の傾きが、−１．８〜−２．３の範囲であることを特徴としている。【選択図】なし【特許請求の範囲】
【請求項１】
硫黄濃度が１０質量ｐｐｍ以下であって、
−１０℃で析出するワックス量が２．７質量％以下であり、
−１０℃で析出するワックス中において、炭素数２４〜３０のｎ−パラフィンの含有割合が２０〜３５質量％であり、かつ、
−１０℃で析出するワックス中における、炭素数２４〜３０の各炭素数のｎ−パラフィン含有割合（質量％）から求めた線形回帰直線の傾きが、−１．８〜−２．３の範囲であることを特徴とする燃料油組成物。
【請求項２】
前記線形回帰直線の傾きが、−１．９〜２．３の範囲であることを特徴とする請求項１に記載の燃料油組成物。
【請求項３】
低温流動性向上剤を、１０〜１０００容量ｐｐｍ含むことを特徴とする請求項１または２に記載の燃料油組成物。
【請求項４】
JIS K 2269により測定した流動点が５℃以下、曇り点が５℃以下であり、JIS K 2288により測定した目詰まり点が５℃以下であることを特徴とする請求項１〜３のいずれかに記載の燃料油組成物。
【請求項５】
JIS K 2265により測定した引火点が４５℃以上、JIS K 2254により測定した蒸留性状９０％留出温度が２４０〜３５０℃、JIS K 2280により測定したセタン指数が４５以上であることを特徴とする請求項１〜４のいずれかに記載の燃料油組成物。
【発明の詳細な説明】
【技術分野】
【０００１】
本発明は、ディーゼルエンジン用燃料などに使用される燃料油に関するもので、特に、低温流動性向上剤の添加効果に優れた低硫黄軽油組成物に関するものである。
【背景技術】
【０００２】
軽油などの燃料油組成物には、通常ｎ−パラフィン（ノルマルパラフィン）分が含まれており、これに起因して寒冷地などの低温条件下ではワックス分が析出し、機器のフィルターに目詰まりを生じたり、流動性が損なわれるなどの問題がある。
【０００３】
たとえば、燃料油組成物をディーゼルエンジン用燃料として用いる場合には、析出したワックスは、ディーゼル車の燃料ラインなどに設置されているフィルターを閉塞させるため、エンジンへの燃料供給を阻害し、正常な運転を妨げる可能性がある。そのため、冬季に使用される燃料油は、灯油留分の配合や、低温流動性向上剤の添加により、日本工業規格（JIS K 2204）に定められたガイドラインに従って、低温性能の確保を行っている。
【０００４】
しかしながら、近年は、燃料噴射システムの高圧化などにより、エンジンへ供給される燃料量が従来と比較して増大しており、かつ、システムの高圧化により夾雑物へのセンシティビティが高まっていることから、燃料ラインに設置されるフィルターのメッシュサイズがこれまでのものに比べ微細化される傾向にある。そのため、軽油中のワックスが燃料ライン中のフィルターを閉塞させる可能性が高まってきている。
【０００５】
更に、軽油のサルファーフリー化により、使用する基材が深度脱硫を行った軽油、もしくは灯油に限定されるため、重質なｎ−パラフィンを希釈する効果が大きい（芳香族分を多く含む）分解軽油などを添加できなくなり、軽油の低温流動性能を確保することが難しくなってきている。
【０００６】
このような状況下、軽油の低温性能を確保するための効果的な方法として、灯油留分の配合量を増加させることが考えられる。しかし、冬季は灯油の需要が高いため、低温性能の確保を目的に灯油留分を多量に使用することは好ましくない。
【０００７】
そのため、低温流動性向上剤を添加することにより、効果的に低温性能を改善する燃料油組成物の提案が種々されている。
たとえば、特許文献１では、低温流動性向上剤の添加効果を引き出すため、重質なｎ−パラフィン分の含有量を規定している。しかし、この軽油組成物は元々の低温性能が優れているため、低温流動性向上剤の添加効果を引き出す燃料油組成物としては、更なる検討が必要である。
【０００８】
特許文献２には、軽油組成物中の最大含有量の炭素数以上の炭素数ｎにおいて、含有されるｎ−パラフィンの炭素数ｎとその含有量Ａ（重量％）との傾き（△ｎ／△Ａ）が、−６．３以上、−４．０以下という特定範囲であることにより、低温特性に優れた軽油組成物が開示されている。また特許文献３は、ｎ−パラフィンの分布が低温流動性に与える影響を規定したものとして、組成物中の炭素数１７〜２５のｎ−パラフィン含有量から求めた線形回帰直線の傾き及びと徐冷曇り点との関係を規定し、低温流動性に優れた軽油組成物を開示している。さらに特許文献４は、炭素数１９〜２７のｎ−パラフィン含有量から求めた線形回帰直線の傾きを、特許文献５は炭素数２０〜２７のｎ−パラフィン含有量から求めた線形回帰直線の傾きを規定した、低温流動性に優れた軽油組成物を開示している。
【０００９】
特許文献２〜４はいずれも、ｎ−パラフィン含有量とその分布曲線の傾きが低温流動性に影響を与えることを開示しており、燃料油中の特定の組成、特に軽質留分の蒸留性状と重質留分の蒸留性状を調整するものではあるが、低温流動性向上剤を添加した際の添加効果を十分に引き出すまでには至っていない。
【００１０】
このような状況において、本願出願人は、燃料油組成物中に含まれるｎ−パラフィン含有量を炭素数について測定した分布において、測定される最大炭素数をＮとしたときに、炭素数２１から炭素数Ｎ＋１までの範囲における分布曲線の線形回帰直線の傾きが−０.１８〜０.００を満たす、低温流動性向上剤の添加効果に優れた低硫黄軽油組成物を提案している（特許文献６参照）。
【００１１】
しかしながら、これらの従来技術においては、ガスクロマトグラフィーなどで測定される、燃料油中に存在するｎ−パラフィン全量を基準としており、低温で実際に析出する成分を制御することについては検討されておらず、実際の燃料油の低温特性の制御にはさらなる改良の余地があった。
【先行技術文献】
【特許文献】
【００１２】
【特許文献１】特開平１１−７１５８６号公報
【特許文献２】特開２００１−１７２６５２号公報
【特許文献３】特開２００４−７５７３２号公報
【特許文献４】特開２００４−７５７２４号公報
【特許文献５】特開２００４−７５７２３号公報
【特許文献６】特開２００７−１９７４７３号公報
【発明の概要】
【発明が解決しようとする課題】
【００１３】
本発明は、低温特性に優れ、流動性向上剤の添加効果に優れた、軽油などの燃料油組成物を提供することを課題としている。
【課題を解決するための手段】
【００１４】
本発明者は、上記の技術背景に鑑みて鋭意研究した結果、燃料油組成物の基本性状に加え、実際に低温で析出するワックスのｎ−パラフィンの組成を特定することにより、低温流動性向上剤の添加効果を十分に引き出すことができることを見出して本発明を完成するに至った。
【００１５】
すなわち本発明の燃料油組成物は、
硫黄濃度が１０質量ｐｐｍ以下であって、
−１０℃で析出するワックス量が２．７質量％以下であり、
−１０℃で析出するワックス中において、炭素数２４〜３０のｎ−パラフィンの含有割合が２０〜３５質量％であり、かつ、
−１０℃で析出するワックス中における、炭素数２４〜３０の各炭素数のｎ−パラフィン含有割合（質量％）から求めた線形回帰直線の傾きが、−１．８〜−２．３の範囲であることを特徴としている。
【００１６】
このような本発明の燃料油組成物は、前記線形回帰直線の傾きが、−１．９〜２．３の範囲であることが好ましい。
本発明の燃料油組成物は、低温流動性向上剤を、１０〜１０００容量ｐｐｍ含むことが好ましい。
【００１７】
本発明の燃料油組成物は、JIS K 2269により測定した流動点が５℃以下、曇り点が５℃以下であり、JIS K 2288により測定した目詰まり点が５℃以下であることが好ましい。
本発明の燃料油組成物は、JIS K 2265により測定した引火点が４５℃以上、JIS K 2254により測定した蒸留性状９０％留出温度が２４０〜３５０℃、JIS K 2280により測定したセタン指数が４５以上であることが好ましい。
【発明の効果】
【００１８】
本発明によれば、低温特性に優れ、流動性向上剤の添加効果に優れた、寒冷地用燃料として好適な、軽油などの燃料油組成物を提供する
【図面の簡単な説明】
【００１９】
【図１】図１は、実施例１〜４の燃料油組成物の、−１０℃で析出するワックス中における、炭素数２４〜３０の各炭素数のｎ−パラフィン含有割合と、それから求めた線形回帰直線を示すグラフである。
【図２】図２は、比較例１〜６の燃料油組成物の、−１０℃で析出するワックス中における、炭素数２４〜３０の各炭素数のｎ−パラフィン含有割合と、それから求めた線形回帰直線を示すグラフである。
【発明を実施するための形態】
【００２０】
以下、本発明について具体的に説明する。
本発明の燃料油組成物は、炭素数２４〜３０の成分を含む炭化水素系燃料油組成物であって、好ましくは軽油組成物である。
【００２１】
本発明の燃料油組成物において、硫黄含有量は１０質量ｐｐｍ以下、好ましくは８質量ｐｐｍ以下である。硫黄含有量が１０質量ｐｐｍ以内であれば、排気ガス中の硫黄酸化物の含有量が少なくなり、排気ガスを処理する触媒を被毒する場合が少ないため好ましい。なお、硫黄含有量はJIS K ２５４１の微量電量滴定式酸化法により測定することができる。
【００２２】
本発明の燃料油組成物では、−１０℃で析出するワックス量が、燃料油組成物１００質量％中の２．７質量％以下、好ましくは０．５〜２．５である。−１０℃で析出するワックス量が２．７質量％以下であれば、これまでの実車試験の結果から、低温条件下でのワックス析出が抑制できるため好ましい。−１０℃で析出するワックス量は、少ない方が好ましいものの、原油を蒸留して得られる留分を脱硫して本願発明の燃料油組成物を得る場合、燃料油組成物中には、全量で通常０．５質量％程度以上のワックス分が含まれる。
【００２３】
本発明において、−１０℃で析出するワックスとは、試料を−１０℃まで冷却した際に析出してくるワックスの総量を意味し、市販の自動恒温ろ過試験機で測定できる。これは−１０℃まで１０℃／Ｈｒで冷却されるが試料温度が−１０℃を超えないよう適宜冷却速度は調整される。このワックスは、通常ｎ−パラフィンを主成分とする。−１０℃で析出するワックスの量は、このようにして冷却した燃料油組成物中に析出した固形分を回収して測定することができる。たとえば、上記冷却条件で−１０℃に冷却し、ワックスが析出した状態の燃料油組成物を、細孔径５μｍのろ紙を用いて吸引ろ過し、ワックスを溶解させない洗浄液でろ物を洗浄して油分を排することにより析出したワックスを回収し、その重量から求めることができる。この測定は、たとえば、自動恒温ろ過試験機を用いて行うことができる。また、示差走査熱量計等を用いて、上記冷却条件により−１０℃で析出するワックス量を測定することによっても求めることができる。
【００２４】
本発明の燃料油組成物では、−１０℃で析出するワックス１００質量％のうち、炭素数２４〜３０のｎ−パラフィン含有量（Separation Normal Paraffin Ratio[SNPR]）が２０〜３５質量％、好ましくは２１〜２８質量％である。
【００２５】
本発明の燃料油組成物は、好ましくは、低温流動性向上剤（Flow Improver：FI）を含有する。低温流動性向上剤としては、低温時に燃料油組成物中に生じるワックス結晶の成長を阻害することにより、低温流動性を向上させる作用を有するものであれば特に制限なく用いることができ、軽油などの燃料油組成物に添加する公知の低温流動性向上剤をいずれも好適に用いることができる。このような低温流動性向上剤の適切なものの例としては、アルケニルコハク酸アミド、エチレン‐酢酸ビニル共重合体、エチレン-アルキルアクリレート共重合体や、ポリアルキルアクリレンなどのポリマーなどが挙げられ、これらの中でもエチレン‐酢酸ビニル共重合体が好ましい。これらの低温流動性向上剤は、１種単独で用いてもよいし、２種以上を組合せて用いてもよい。
【００２６】
燃料油組成物中における低温流動性向上剤の添加量は、通常１０〜１０００容量ｐｐｍであり、好ましくは５０〜６００容量ｐｐｍ、さらに好ましくは５０〜３５０容量ｐｐｍである。１０ｐｐｍ以下では、低温流動性向上剤の十分な効果が得られない場合があり、１０００ｐｐｍ以上を超えて添加しても、さらなる向上効果は得られない場合がある。
【００２７】
本発明の燃料油組成物では、低温初期に析出するワックス含有量すなわち−１０℃の環境下で析出するワックス中のｎ−パラフィンの炭素数２４から炭素数３０の範囲におけるＳＮＰＲが、上記特定の範囲内にあることにより、低温時に析出するワックスの成長を抑制する低温流動性向上剤の効果が十分に発現するため好ましい。
【００２８】
例えば、燃料油組成物を寒冷地でディーゼル車用燃料として使用した場合、ワックスとして析出しうる炭素数１６または１７以降のｎ−パラフィンの内、０℃付近から−１０℃付近という比較的高い温度で析出する炭素数２４以上から３０までのｎ−パラフィンがある程度の量存在することによって、低温流動性向上剤によるワックスの成長抑制機構が十分に発現され、低温流動性向上剤の添加効果は大きくなる。一方、炭素数２４以上の重質なｎ−パラフィンの含有量が多すぎると、逆に燃料油組成物の低温性能は悪化する。
【００２９】
このため、−１０℃で析出するワックス１００質量％のうち、炭素数２４〜３０のｎ−パラフィン含有量が２０〜３５質量％、好ましくは２１〜２８質量％である場合に、燃料油組成物が、低温流動性向上剤の添加効果を引き出すのに最適なｎ−パラフィン分布を有しているといえる。
【００３０】
また、本発明の燃料油組成物では、−１０℃で析出するワックス中における、炭素数２４〜３０の各炭素数のｎ−パラフィン含有割合（質量％）から求めた線形回帰直線の傾きが、−１．８〜−２．３、好ましくは−１．９〜−２．３の範囲である。
ここで、当該線形回帰直線の傾きは、燃料油組成物を上述のように−１０℃に冷却した際に析出するワックス１００質量％中における、各炭素数のｎ−パラフィン含有量の分布曲線（Separation Normal Paraffin Slope：SNPS）の線形回帰直線の傾きであって、横軸にｎ−パラフィンの炭素数（単位：個）、縦軸にｎ−パラフィンの含有量（単位：質量％）をとり、各炭素数のｎ−パラフィン含有量をプロットしたときに描かれる、ｎ−パラフィンの分布曲線の線型回帰直線の傾きとして得られる。
【００３１】
低温流動性向上剤は、軽油組成物中にワックスが急激に析出した場合、析出したワックスへの吸着が追いつかず、ワックス成長抑制機構が十分に機能しない。そのため、析出したワックス中の炭素数３０〜炭素数２４の範囲の低温初期に析出するｎ−パラフィンの含有量によって低温流動性向上剤の添加効果は、影響を受ける。
【００３２】
すなわち、−１０℃の環境下で燃料油中から析出するワックス中の低温初期に析出するｎ−パラフィンが一定範囲含有されていることが必要であり、そのSNPSの傾きが−１．８ 〜 −２．３であることにより低温流動性向上剤の添加効果を十分に引き出すことが可能となる。
【００３３】
SNPSの線形回帰曲線の傾きが本発明で特定するよりも緩やかで、たとえば−１程度であるなど−１．８よりも大きい場合には、低温初期において低温流動性向上剤が作用するｎ−パラフィンの含有量が少なく、その後急激なワックス析出により低温流動性向上剤の効果が追いつかず、十分な効果が発揮されない場合がある。このような場合は、低温流動性向上剤を増量することにより効果向上を行っているが、不経済である。
【００３４】
本発明の燃料油組成物は、１５℃における密度が通常０．７０〜０．８６ｇ／ｃｍ3、好ましくは０．７５〜０．８５ｇ／ｃｍ3である。１５℃における密度が０．７０〜０．８６g/cm3を満たす場合には、軽油の使用を前提に設計されたディーゼル車に対し、ディーゼル燃焼時の着火性を維持し、適切な燃焼状態を保つことができるため好ましい。なお、燃料油組成物の１５℃における密度はJIS K 2249の密度試験方法及び密度・質量・容量換算表により測定することができる。
【００３５】
本発明の燃料油組成物では、３０℃における動粘度が通常１．７００〜６．０００mm2/s、好ましくは２．０００〜５．４００ｍｍ2/sである。３０℃における動粘度が１．７００〜６．０００mm2/sであれば、軽油の使用を前提に設計されたディーゼル車に対し、燃料供給ポンプの磨耗や、燃料自体の流動性の面で適切に使用することが可能であるため好ましい。なお、３０℃における動粘度はJIS K 2283の動粘度試験方法及び粘度指数算出方法により測定することができる。
【００３６】
本発明の燃料油組成物では、１０容量％留出温度が通常１７０〜２６０℃、好ましくは１８０〜２５０℃、９０容量％留出温度が通常２４０〜３５０℃、好ましくは２５０〜３４０℃である。１０容量％留出温度が１７０℃以上であれば軽油として適切な引火点および動粘度を保つことができ、２６０℃以下であればワックス析出温度が制限され、低温流動性を保つ面で好ましい。９０容量％留出温度が２４０℃以上であれば、軽油として適切な引火点および動粘度を保つことができ、３５０℃以下であれば燃料噴霧時の霧化不良に伴う燃焼室汚染、ノズルへのカーボン付着などを抑えることができるため好ましい。なお、蒸留性状はJIS K 2254の常圧法蒸留試験により測定することができる。
【００３７】
本発明の燃料油組成物では、通常曇り点が５．０℃以下、好ましくは２．０℃以下、さらに好ましくは０．０℃以下である。曇り点が５℃以下であれば、JIS推奨の各種JIS規格軽油の使用最低温度における、燃料の固化や始動性不良といったディーゼル車の低温作動性に関する問題の原因となるワックス分が少なくなるため好ましい。なお、曇り点はJIS K 2269の流動点ならびに石油製品曇り点試験方法により測定することができる。
【００３８】
本発明の燃料油組成物では、通常流動点が５．０℃以下、好ましくは−２．５℃以下、さらに好ましくは−７．５℃以下である。流動点が５℃以下であれば、JIS推奨の各種JIS規格軽油の使用最低温度における、燃料の固化によるディーゼル車の低温作動性に関する問題が起きる可能性が低くなるため好ましい。なお、流動点はJIS K 2269の流動点ならびに石油製品曇り点試験方法により測定することができる。
【００３９】
本発明の燃料油組成物では、低温ろ過器目詰まり点（CFPP：Cold Filter Plugging Point）が通常５℃以下、好ましくは０℃以下、さらに好ましくは−５℃以下である。CFPPが５℃以下であれば、JIS推奨の各種JIS規格軽油の使用最低温度における、始動性不良といったディーゼル車の低温作動性に関する問題が起きる可能性が低くなるため好ましい。なお、CFPPはJIS K 2288の目詰まり点試験法により測定することができる。
【００４０】
本発明の燃料油組成物は、寒冷地で使用可能な軽油であることが特に好ましく、具体的には、JIS K 2265により測定した引火点が４５℃以上、JIS K 2254により測定した蒸留性状９０％留出温度が２４０〜３５０℃、JIS K 2280により測定したセタン指数が４５以上の条件をいずれも満たすことが好ましい。
【００４１】
本発明の燃料油組成物の基材としては、原油の常圧蒸留から得られる直留灯油、直留軽油、または、流動接触分解装置（Fluid Catalyst Cracking Unit）から得られる分解軽油（ライトサイクルオイル：LCO）等を深度脱硫した深度脱硫灯油、深度脱硫軽油、深度脱硫分解軽油、脱ロウ軽油などが好適に使用される。
【００４２】
本発明の燃料油組成物は、これらの基材を得る際、本発明で特定する範囲になるように脱硫装置の運転条件を変更したり、各蒸留装置での蒸留性状を調整することにより得ることができる。また、本発明の燃料油組成物は、これらの基材を適宜配合して、本発明で特定する範囲を満たすものとすることにより得ることができる。本発明では、燃料油組成物の製造において、さらに使用用途（たとえば軽油など）の規格（ＪＩＳ規格等）に適合するよう調製することが好ましい。
【００４３】
本発明の燃料油組成物には、低温流動性向上剤以外の各種添加剤、たとえば、潤滑性向上剤、セタン価向上剤、清浄剤等の各種添加剤を添加しても良い。燃料油組成物中に添加される各種添加剤の総量は、燃料油組成物のフィルタビィリティーの観点から、０．２容量％以下が好ましい。
【実施例】
【００４４】
以下、実施例に基づいて本発明をさらに具体的に説明するが、本発明はこれらの実施例に限定されるものではない。
以下の実施例および比較例において、各性状はそれぞれ以下の方法により測定あるいは評価した。
【００４５】
（１）密度（１５℃）：JIS K 2249  「原油及び石油製品−密度試験方法及び密度・質量・容量換算表」により測定した。
（２）硫黄含有量：JIS K 2541  「原油及び石油製品−硫黄分試験方法」により測定した。
（３）動粘度（３０℃）：JIS K 2283  「原油及び石油製品−動粘度試験方法及び粘度指数算出方法」により測定した。
（４）蒸留性状（初留点、１０％留出温度、９０％留出温度、終点）：JIS K ２２５４  「石油製品−蒸留試験方法」により測定した。
（５）曇り点（CP）：JIS K 2269  「原油及び石油製品の流動点並びに石油製品曇り点試験法」により測定した。
（６）流動点（PP）：JIS K 2269  「原油及び石油製品の流動点並びに石油製品曇り点試験法」により測定した。
（７）目詰まり点（CFPP、低温ろ過器目詰まり点）：JIS K 2288  「石油製品−軽油−目詰まり点試験方法」により測定した。
（８）ｎ−パラフィン量：ｎ−パラフィン量はガスクロマトグラフィーにより測定を行った。以下に測定条件を示す。
装置：６８９０（Agilent Technologies）
カラム：DB‐１ ３０m×０．２５mm I．D．膜厚０．２５μm
検出器：FID
オーブン温度：５０℃で１分保持後、５℃/分で３４０℃まで昇温し、２０分保持。
試料量：０．１μl（二硫化炭素で１/２に希釈）
（９）−１０℃におけるワックス析出量：−１０℃におけるワックス析出量は全自動恒温ろ過試験機（（株）コスモトレードアンドサービス製、AF-301)を用いて測定する。この方法では、−１０℃における燃料油組成物中の析出ワックスを、ろ紙を用いて吸引ろ過し、ワックスを溶解させない洗浄液（２−ブタノン）でろ物の油分を排し、その重量を測定することにより−１０℃におけるワックス析出量を定量する。
（１０）低温流動性向上剤添加効果：低温流動性向上剤を含まない場合（FI（0））と、低温流動性向上剤を３００容量ｐｐｍ含む場合（FI（300））の燃料油組成物について、それぞれの目詰まり点（CFPP）測定値から、下記式（Ｉ）により算出した値が、１．５以上であればＡ（添加効果良好）、１．５未満ではＢ（添加効果不良）と評価した。
（CFPPFI(300)−CFPPFI(0)）/FI添加量×１００  …（Ｉ）
式（Ｉ）中、CFPPFI(300)は、低温流動性向上剤を３００容量ｐｐｍ添加時の目詰まり点（℃）を、CFPPFI(0)は、低温流動性向上剤無添加時の目詰まり点（℃）を、FI添加量は、低温流動性向上剤添加時の添加量（容量ｐｐｍ、ここでは300）をそれぞれ示す。
【００４６】
［実施例１〜４、比較例１〜６］
表１に示す性状を有する脱硫灯油基材と、表２に示す性状を有する脱硫軽油基材とを、表３に示す配合比で配合して、燃料油組成物を得た。得られた燃料油組成物の特性を表４に示す。
【００４７】
得られた燃料油組成物について、−１０℃で析出するワックス中における、炭素数２４〜３０のｎ−パラフィンの含有割合を求めた。また、−１０℃で析出するワックス中における、炭素数２４〜３０の各炭素数のｎ−パラフィン含有割合（質量％）から求めた線形回帰直線の傾きを求めた。さらに、上記で得られた低温流動性向上剤（FI）を含有しない燃料油組成物（FI（0））と、エチレン−酢酸ビニル共重合体系低温流動性向上剤を３００容量ｐｐｍ配合した燃料油組成物（FI(300)）とについて、それぞれ目詰まり点（CFPP）を測定し、この結果から低温流動性向上剤添加効果を評価した。結果をそれぞれ表５に示す。また、炭素数２４〜３０の各炭素数のｎ−パラフィン含有割合（質量％）と、それから求めた線形回帰直線については、図１（実施例１〜４）および図２（比較例１〜６）にグラフを示す。
【００４８】
なお、本実施例および比較例においては、FI添加量を３００ｐｐｍとしたが、FI添加量は、添加効果及び経済性の面から５０〜３５０ｐｐｍの添加が望ましく、この範囲で同様に低温流動性向上剤添加効果を算出することができる。
【００４９】
【表１】
2010215844.tif 000002
【００５０】
【表２】
2010215844.tif 000003
【００５１】
【表３】
2010215844.tif 000004
【００５２】
【表４】
2010215844.tif 000005
【００５３】
【表５】
2010215844.tif 000006
上記表５に示す結果より、実施例１から４については、式（Ｉ）により求められる値が１．５以上であって、比較例と比べて低温流動性向上剤添加効果が高く、経済性に優れていることがわかる。すなわち、実施例１〜４で得られた燃料油組成物は、低温流動性向上剤添加効果を十分に引き出せることがわかる。一方、表５に示す結果から明らかなように、比較例１から４は本発明で規定している範囲を外れているため、３００容量ｐｐｍという十分量の低温流動性向上剤を添加した場合にも、低温流動性向上剤のワックス成長抑制効果を十分に引き出せていないことがわかる。
【００５４】
また、比較例５、６は−１０℃で析出するワックス量が２．７質量％を超えるものであり、これではワックス含有量が多すぎるため流動性向上剤を多く添加する必要があり経済的でなくなるほか、低温条件下においてディーゼル燃料油として使用する場合には、ワックス析出による不具合が生じる懸念がある。
【産業上の利用可能性】
【００５５】
本発明の燃料油組成物は、低温流動性向上剤の効果を十分に引き出すことのできる低硫黄燃料油であって、特にディーゼルエンジン用の軽油として有用である。
【図１】
2010215844.tif 000007
【図２】
2010215844.tif 000008